(57)【特許請求の範囲】
【請求項１】
頭部を硬質材で形成するとともに、屋根板材の突合せ接合片に嵌着する切込部を有した止水本体部を軟質材で形成した止水材と、
上記止水材の上方より嵌着して使用されるキャップと、より成ることを特徴とする屋根板材の止水具。
【請求項２】
請求項１において、
上記止水材の切込部は、屋根板材の突合せ接合片を挟持する平面部を有しており、その平面部には、少なくとも１以上の切込み溝を形成したことを特徴とする屋根板材の止水具。
【請求項３】
請求項１又は２の何れかにおいて、
上記切込部の上方には、屋根板材の突合せ接合片の折曲部を嵌入し、抜止するトラップ空所を形成したことを特徴とする屋根板材の止水具。
【請求項４】
請求項１〜３の何れかにおいて、
上記止水材の頭部には、上記キャップの内面に接触する少なくとも一対の襞を延設したことを特徴とする屋根板材の止水具。
【請求項５】
請求項４において、
上記襞は、下方に向けて湾曲形成したことを特徴とする屋根板材の止水具。
【請求項６】
請求項１〜５の何れかにおいて、
上記止水材の硬質材は、硬質合成樹脂又は硬質合成ゴムによって形成したことを特徴とする屋根板材の止水具。
【請求項７】
請求項１〜６の何れかにおいて、
上記止水材の軟質材は、独立気泡を有する軟質発泡ゴム又は軟質発泡合成樹脂によって形成したことを特徴とする屋根板材の止水具。
【請求項８】
屋根の下地に固定される取付金具を介して、屋根板材の突合せ接合片を重合させて、屋根板材を下地に配置固定する屋根葺き工程と、
請求項１〜７に記載された止水材を、上記屋根葺き工程によって配置固定された屋根板材の突合せ接合片に、上方から被せて嵌着する止水材取付工程と、
上記止水材の上方よりキャップを嵌着するキャップ取付工程と、
よりなる屋根板材の止水具取付方法。
【発明の詳細な説明】
【０００１】
【発明の属する技術分野】
本発明は、屋根板材の連結部分から内部への止水を行なうための屋根板材の止水具及びこれを用いた屋根板材の止水具取付方法に関する。
【０００２】
【従来の技術】
従来より、屋根板材の連結部分から内部への止水を行なうための屋根板材の止水具は、上記屋根板材の突合せ接合片に嵌着する切込部を有し、軟質材で略逆U字状に形成された止水材と、この止水材に一体的に嵌着される略逆U字状に形成されたキャップとより成る（例えば、特許文献１参照。）。
【０００３】
すなわち、従来の屋根板材の止水具は、長尺に形成された止水材と、長尺に形成されたキャップとを別々に形成しておき、これらを施工現場近くで一緒に押出しながら両者を一体化して製造していた。
【０００４】
そして、一体化された止水具を屋根板材の突合せ接合片の長さに合せて切断し、その一端を、上記屋根板材の突合せ接合片の一方の軒先側から他方の軒先側に向けて嵌着して、上記止水具を屋根板材の連結部分に嵌着して、施工されていた。
【０００５】
【特許文献１】
特許第２５１９６６１号
【０００６】
【発明が解決しようとする課題】
しかし、この止水具は、上記の通り、長尺の止水材と、長尺のキャップとを施工現場近くで一体化して製造するため、この一体化作業に手間がかかり、製造が困難であると共に、施工上の作業性が悪いという問題があった。
【０００７】
すなわち、止水材は、その全体を軟質ゴムなどの軟質材で形成しているため、キャップとの摩擦抵抗や熱膨張によって、上記キャップを上手く嵌着できないという製造上の問題があった。
【０００８】
また、一体化された止水具を、上記の通り、屋根板材の突合せ接合片の一方の軒先側から他方の軒先側に向けて嵌着して、屋根板材の連結部分である突合せ接合片に嵌め込む場合にも、屋根板材の突合せ接合片と、上記止水材との摩擦抵抗によって、止水具をスムーズに嵌着できないという施工上の問題もあった。
【０００９】
本発明は、かかる課題を解決することを目的とし、止水具を容易に形成でき、しかもこれを屋根板材の突合せ接合片に簡単に嵌着可能な屋根板材の止水具及びこれを用いた屋根板材の止水具取付方法を提供する。
【００１０】
【課題を解決するための手段】
上記目的を達成するため、
請求項１に係る屋根板材の止水具は、頭部を硬質材で形成するとともに、屋根板材の突合せ接合片に嵌着する切込部を有した止水本体部を軟質材で形成した止水材と、上記止水材の上方より嵌着して使用されるキャップと、より成ることを特徴とする。
【００１１】
このものでは、止水材は、その止水本体部を、軟質材で形成しているので、屋根板材の突合せ接合片を挟持する際に、十分に弾性変形して水密性を保持する。
【００１２】
また、止水材の頭部は、硬質材で形成しているため、キャップを上方から被せた際に、不用意な変形が防止され、スムーズに嵌着ことができる。
【００１３】
したがって、止水材とキャップとを別形成にしたままで、屋根板材の突合せ接合片に止水材を嵌着する工程と、その上方よりキャップを嵌着工程とを分離して行なうことができるため、その製造が容易であるうえ、屋根板材を連結する際の施工作業性を高めることができる。
【００１４】
請求項２に係る屋根板材の止水具は、請求項１において、上記止水材の切込部は、屋根板材の突合せ接合片を挟持する平面部を有しており、その平面部には、少なくとも１以上の切込み溝を形成したことを特徴とする。
【００１５】
このものでは、平面部によって屋根板材等との接触面積が高まるので、屋根板材等に対する圧着シール力を高めることができる。
【００１６】
また、切込部の下端から毛細管現象によって平面部を通じて、仮に浸水されても、切込み溝によって、それ以上の浸水を防止できる。
【００１７】
請求項３に係る屋根板材の止水具は、請求項１又は２の何れかにおいて、上記切込部の上方には、屋根板材の突合せ接合片の折曲部を嵌入し、抜止するトラップ空所を形成したことを特徴とする。
【００１８】
このものでは、トラップ空所が屋根板材の突合せ接合片の折曲部に嵌入して、屋根板材の不用意な抜け外れを防止できる。
【００１９】
請求項４に係る屋根板材の止水具は、請求項１〜３の何れかにおいて、上記止水材の頭部には、上記キャップの内面に接触する少なくとも一対の襞を延設したことを特徴とする。
【００２０】
このものでは、襞がキャップの内面を支持し、被せたキャップのガタツキを防止できる。
【００２１】
請求項５に係る屋根板材の止水具は、請求項４において、上記襞は、下方に向けて湾曲形成したことを特徴とする。
【００２２】
このものでは、襞を下方に湾曲形成しているので、キャップを容易に嵌着ことができると共に、被せたキャップのガタツキを防止でき、その抜け外れをも防止できる。
【００２３】
請求項６に係る屋根板材の止水具は、請求項１〜５の何れかにおいて、上記止水材の硬質材は、硬質合成樹脂又は硬質合成ゴムによって形成したことを特徴とする。
【００２４】
このものでは、汎用の硬質材を使用できる。
【００２５】
請求項７に係る屋根板材の止水具は、請求項１〜６の何れかにおいて、上記止水材の軟質材は、独立気泡を有する軟質発泡ゴム又は軟質発泡合成樹脂によって形成したことを特徴とする。
【００２６】
このものでは、汎用の軟質材を使用できる。
【００２７】
請求項８に係る屋根板材の止水具取付方法は、屋根の下地に固定される取付金具を介して、屋根板材の突合せ接合片を重合させて、屋根板材を下地に配置固定する屋根葺き工程と、請求項１〜７に記載された止水材を、上記屋根葺き工程によって配置固定された屋根板材の突合せ接合片に、上方から被せて嵌着する止水材取付工程と、上記止水材の上方よりキャップを嵌着するキャップ取付工程と、よりなる。
【００２８】
この方法では、請求項１〜７に記載された止水材を使用して、屋根板材の突合せ接合片の上方から止水材を嵌着した後、更にキャップを上方から嵌着するようにしているので、あらかじめ止水材をキャップの長手方向に嵌着する必要がなく、施工時間を短縮して、その作業性を高めることができる。
【００２９】
【発明の実施の形態】
以下、本発明に係る屋根板材の止水具及びこれを用いた屋根板材の止水具取付方法を図面に基づき説明する。
【００３０】
図１（ａ）、（ｂ）は、本発明に係る屋根板材の止水具の一実施例の断面状態を示す動作図であり、（ａ）は、止水材の閉じた状態を示し、（ｂ）は、止水材が開いた状態を示している。
【００３１】
図２は、本発明に係る屋根板材の止水材の別例を示す断面図である。
【００３２】
図３は、本発明に係る止水具を用いて施工される屋根板材の止水具取付方法を示す施工図である。
【００３３】
図４は、施工後の屋根の状態の一部を示した斜視図である。
【００３４】
なお、図１〜図４において、共通する部材には同一番号を付し、重複する説明は省略している。以下、これらの図面に基いて説明する。
【００３５】
屋根板材の止水具Ａは、止水材１とキャップ２とより構成している。
【００３６】
止水材１は、軟質材によって略逆Ｕ字状に形成され、その下端には、屋根板材Yの突合せ接合片Y１に嵌着する切込部１４を有した止水本体部１３と、この止水本体部１３の略上側半分を硬質材で被覆するように形成した頭部１１とより構成している。
【００３７】
ここで、軟質材としては、独立気泡を有する軟質発泡ゴム又は軟質発泡合成樹脂を利用し、上記硬質材には、その軟質材と一体形成が可能な硬質合成樹脂又は硬質合成ゴムを利用することが好ましい。
【００３８】
また、使用される硬質材及び軟質材によっては、図１で示した止水材１に代えて、図２で示すように、止水材１の略上半分を上記硬質材で形成し、その略下半分を上記軟質材によって形成して、全体を略逆U字状に一体形成することも可能である。
【００３９】
このような２種の材料を略逆U字状に一体形成するには，例えば、各々の材料を押出し成形手段などのような既存の手段を利用して硬軟同時成形すれば良い。
【００４０】
また、止水本体部１３の切込部１４の内側対向位置には、屋根板材Yの突合せ接合片Y１を両側方から挟持するための平面部１６を有しており、その平面部１６には、少なとも１以上の切込み溝１７を形成している。
【００４１】
このような平面部１６を形成することで、屋根板材Yとの接触面積を高めて、屋根板材に対する圧着シール力を高めることができる。
【００４２】
しかも、切込部１４の下端から毛細管現象によって平面部１６を通じて、仮に浸水されても、切込み溝１７によって、それ以上の浸水を防止できる。
【００４３】
また、切込部１４の上端には、止水材１の長手方向に向けて貫通し、屋根板材Yの突合せ接合片Y１を嵌入し、抜止するトラップ空所１５を形成している。
【００４４】
ここでのトラップ空所１５は、その両側下端に段部１５ａを形成し、この段部１５ａに上記突合せ接合片Y１の折曲部や、取付金具Kの上端半分K１、K３の折曲部を係止するようにしている。
【００４５】
一方、止水材１の頭部１１の両側には、キャップ２の内面に接触する一対の襞１２を延設しており、このような襞１２を形成することで、襞１２がキャップ２の内面を支持し、被せたキャップ２のガタツキを防止できる。
【００４６】
また、この一対の襞１２は、図のように下方に向けて湾曲形成しており、このような襞１２を形成することで、キャップ２を止水材１に容易に嵌着ことができると共に、被せた後は、そのキャップ２を支持してガタツキを防止でき、更には、キャップ２の抜け外れをも防止できる。
【００４７】
また、キャップ２は、平板を折り曲げ加工して下方に開放された略鍵穴状に形成したもので、両側の直立部２２の上方は弾性を付与すべく外方に膨出された円弧部２１を形成し、且つ直立部２２の下端はいずれも内方に曲成された抜止部２３設けている。
【００４８】
このような円弧部２１によってキャップ２全体が内方へと加圧作用し、その下端の抜止部２３で内方への挟持力を高め、屋根板材Yへの連結状態が確実に保持できる。
【００４９】
なお、キャップ２は、従来のものを利用することも可能である。
【００５０】
上述のように構成された本発明の止水具Aは、図３、図４で示す要領で屋根板材Yの連結部分である突合せ接合片Y１に嵌着して取付、施工する。
【００５１】
すなわち、屋根の下地Sに固定されている取付金具（吊り子とも呼ばれる。）Kを介して、屋根板材Yの突合せ接合片Y１を重合させて、屋根板材Yを下地に配置固定する屋根葺き工程を行う（図３（ａ）参照）。
【００５２】
具体的には、一枚の屋根板材Yを屋根端に葺いた後、その屋根板材Yの一側端に立設された突合せ接合片Y１に、取付金具Kの上端の略一半分K１を折り返して係止したうえで、この取付金具Kの取付板K２を下地Sに釘、ネジ等で固定する。
【００５３】
次いで、他の屋根板材Yの他側端に立設された突合せ接合片Y１を、取付金具Kの上端の略他半分K３を折り返して係止したうえで、これを下地S上に横葺きし、以下同様にして、屋根板材Yを下地に配置固定するのである。
【００５４】
なお、取付金具Kの種類によっては、これを予め下地Sに固定しておいても良く、要は、屋根板材Yが下地に配置固定され、その突合せ接合片Y１同士が、取付金具Kを介して重合して取り付けられていれば良い。
【００５５】
この屋根葺き工程によって配置固定された屋根板材Yの突合せ接合片Y１に、止水材１を上方から被せて嵌着する止水材取付工程を行う。
【００５６】
この止水材取付工程は、突合せ接合片Y１の上方から止水材１だけを被せて行われるために、止水材１を容易に嵌着することができる（図３（ｂ）参照）。
【００５７】
最後に、被せた止水材１の上方より更にキャップ２を嵌着するキャップ取付工程を行うことによって、その施工を終了するのである（図３（ｃ）及び図４参照）。
【発明の効果】
本発明によれば、次のような効果がある。
【００５８】
請求項１に係る屋根板材の止水具によれば、止水材は、その止水本体部を、軟質材で形成しているので、屋根板材の突合せ接合片を挟持する際に、十分に弾性変形して水密性を保持する。
【００５９】
また、止水材の頭部は、硬質材で形成しているため、キャップを上方から被せた際に、不用意な変形が防止され、スムーズに嵌着ことができる。
【００６０】
したがって、止水材とキャップとを別形成にしたままで、屋根板材の突合せ接合片に止水材を嵌着する工程と、その上方よりキャップを嵌着工程とを分離して行なうことができるため、その製造が容易であるうえ、屋根板材を連結する際の施工作業性を高めることができる。
【００６１】
請求項２に係る屋根板材の止水具によれば、平面部によって屋根板材等との接触面積が高まるので、屋根板材等に対する圧着シール力を高めることができる。
【００６２】
また、切込部の下端から毛細管現象によって平面部を通じて、仮に浸水されても、切込み溝によって、それ以上の浸水を防止できる。
【００６３】
請求項３に係る屋根板材の止水具によれば、トラップ空所が屋根板材の突合せ接合片の折曲部に嵌入して、屋根板材の不用意な抜け外れを防止できる。
【００６４】
請求項４に係る屋根板材の止水具によれば、襞がキャップの内面を支持し、被せたキャップのガタツキを防止できる。
【００６５】
請求項５に係る屋根板材の止水具によれば、襞を下方に湾曲形成しているので、キャップを容易に嵌着ことができると共に、被せたキャップのガタツキを防止でき、その抜け外れをも防止できる。
【００６６】
請求項６に係る屋根板材の止水具によれば、汎用の硬質材を使用できる。
【００６７】
請求項７に係る屋根板材の止水具によれば、汎用の軟質材を使用できる。
【００６８】
請求項８に係る屋根板材の止水具取付方法によれば、請求項１〜７に記載された止水材を使用して、屋根板材の突合せ接合片の上方から止水材を嵌着した後、更にキャップを上方から嵌着するようにしているので、あらかじめ止水材をキャップの長手方向に嵌着する必要がなく、施工時間を短縮して、その作業性を高めることができる。
【図面の簡単な説明】
【図  １】（ａ）、（ｂ）は、本発明に係る屋根板材の止水具の一実施例の断面状態を示す動作図であり、（ａ）は、止水材の閉じた状態を示し、（ｂ）は、止水材が開いた状態を示している。
【図  ２】本発明に係る屋根板材の止水材の別例を示す断面図である。
【図  ３】本発明に係る止水具を用いて施工される屋根板材の止水具取付方法を示す施工図である。
【図  ４】施工後の屋根の状態の一部を示した斜視図である。
【符号の説明】
Ａ      屋根板材の止水具
Ｓ      下地
Ｋ      取付金具
Ｙ      屋根板材
Ｙ１    突合せ接合片
１１    頭部
１２    襞
１３    止水本体部
１４    切込部
１５    トラップ空所
１６    平面部
１７    切込み溝
２      キャップ
【図１】
0003657945.tif 000002
【図２】
0003657945.tif 000003
【図３】
0003657945.tif 000004
【図４】
0003657945.tif 000005